(57)【要約】  第１及び第２のフレーム部材を相互接続するためのコーナー・アセンブリが提供される。第１のプレート部材が、このスロットに受容可能で突出する取付けレールを有する外面と、この外面に対して鋭角で第１の軸に沿って貫通して延びるボルト受容孔とを備える。第２のプレート部材が、第１のプレート部材の外面に対して略垂直であるとともに、第２のフレーム部材のスロットに受容可能な突出する取付けレールを有する外面を備える。第２のプレート部材は、この外面に対して鋭角で第２の軸に沿って貫通して延びるボルト受容孔を備える。中央部が、第１及び第２のプレート部材を相互接続し、突出する一あわせレールを備える取付け面、及び貫通する孔を有する。コーナーが、第１のフレーム部材の終端部に当接するように構成された第１の側壁と、第２のフレーム部材の終端部に当接するように構成された第２の側壁と、中央部の位置合わせレールを受容する内部にスロットを有する取付け壁とを有する。図２。
2018529909.tif 000002
【特許請求の範囲】
【請求項１】
第１及び第２のフレーム部材を相互接続するためのコーナー・アセンブリであって、
内面、及び、前記第１のフレーム部材のスロットに受容可能な突出する取付けレールを有する反対側の外面を画定するとともに、該外面に対して鋭角で第１の軸に沿って貫通して延びるボルト受容孔を備える第１のプレート部材と、
内面、及び、前記第２のフレーム部材のスロットに受容可能な突出する取付けレールを有するとともに前記第１のプレート部材の前記外面に対して略垂直な反対側の外面を画定し、該外面に対して鋭角で第２の軸に沿って貫通して延びるボルト受容孔を備える第２のプレート部材と、
前記第１及び第２のプレート部材を相互接続するとともに、突出する位置合わせレールを備える取付け面、及び貫通して延びる孔を有する中央部と、
前記第１のフレーム部材の終端部に当接するように構成された第１の側壁と、前記第２のフレーム部材の終端部に当接するように構成された第２の側壁と、前記中央部の前記位置合わせレールを内部に受容するスロットを内部に有する取付け壁とを有するコーナーと、
を備えるコーナー・アセンブリ。
【請求項２】
前記コーナーが、コーナー軸に沿って延び、該コーナー軸に平行に延びるコーナー空洞を備え、前記コーナー・アセンブリが、前記コーナー空洞に受容可能なコーナー・ナットを備える請求項１に記載のコーナー・アセンブリ。
【請求項３】
前記ボルト受容孔を貫通して角度をなして延び、前記中央部を前記コーナーに相互接続するように、前記コーナー空洞に受容された前記コーナー・ナットに係合するボルトを備える請求項２に記載のコーナー・アセンブリ。
【請求項４】
前記位置合わせレールが、前記中央部の前記取付け面から離間された終端面を備える請求項１に記載のコーナー・アセンブリ。
【請求項５】
前記位置合わせレールが、前記終端面と前記中央部の前記取付け面の間に延びる第１及び第２の位置合わせ壁を備える請求項４に記載のコーナー・アセンブリ。
【請求項６】
前記第１及び第２の位置合わせ壁が前記終端面から離れて延びるにつれて、前記第１及び第２の位置合わせ壁が互いからそれる請求項５に記載のコーナー・アセンブリ。
【請求項７】
前記中央部を貫通する前記孔が、前記終端面と連通する開口を終端する請求項４に記載のコーナー・アセンブリ。
【請求項８】
前記孔が、前記中央部の前記取付け面に対して鋭角で軸に沿って延びる請求項７に記載のコーナー・アセンブリ。
【請求項９】
前記中央部が、第１のプレート部材の内面に隣接する第１の縁部と、前記第２のプレート部材の前記内面に隣接する第２の縁部とを有する弓状面を備える請求項１に記載のコーナー・アセンブリ。
【請求項１０】
前記第１及び第２のフレーム部材のそれぞれが、外面を有し、長手軸を画定し、対応する第１及び第２のフレーム部材の前記スロットと連通するとともに前記長手軸に平行に延びる空洞を有し、前記コーナー・アセンブリが、
前記第１のフレーム部材の前記空洞に受容可能な第１のナットと、
前記第１のプレート部材の前記ボルト受容孔を貫通して角度をなして延び、前記第１のフレーム部材の前記空洞に受容された前記第１のナットに係合して、前記第１のプレート部材を第１のフレーム部材に相互接続する第１のボルトと、
前記第２のフレーム部材の前記空洞に受容可能な第２のナットと、
前記第２のプレート部材の前記ボルト受容孔を貫通して角度をなして延び、前記第２のフレーム部材の前記空洞に受容された前記第２のナットに係合して、前記第２のプレート部材を第２のフレーム部材に相互接続する第２のボルトと、
を備える請求項１に記載のコーナー・アセンブリ。
【請求項１１】
第１のフレーム部材、第２のフレーム部材及びコーナーを相互接続するためのコネクタであって、前記第１及び第２のフレーム部材のそれぞれが、対応する軸に沿って延び、スロットを内部に有する外面、及び前記スロットと連通する空洞を備え、前記コーナーが、前記第１のフレーム部材の前記軸に垂直で、前記第１のフレーム部材の終端部に当接するように構成された第１の側壁と、該第１の側壁及び前記第２のフレーム部材の前記軸に対して垂直で、前記第２のフレーム部材の終端部に当接するように構成された第２の側壁と、スロットを内部に有するとともに前記第１及び第２のフレーム部材の前記軸に対して垂直な軸に沿って延びる取付け壁を有し、
内面、前記第１のフレーム部材の前記スロットに受容可能な突出する取付けレールを有する反対側の外面、及び該外面に対して鋭角で第１の軸に沿って貫通して延びるボルト受容孔を有する第１のプレート部材と、
内面、及び、第２のフレーム部材の前記スロットに受容可能な突出する取付けレールを有する反対側の外面を有し、該外面に対して鋭角で第２の軸に貫通して沿って延びるボルト受容孔を備える第２のプレート部材と、
前記第１及び第２のプレート部材を相互接続するとともに、突出し前記コーナーの前記スロットに受容可能である位置合わせレールを備える取付け面、第１のプレート部材の内面に隣接する第１の縁部と前記第２のプレート部材の前記内面に隣接する第２の縁部とを有する弓状面、及び前記中央部を貫通して延びる孔を有する中央部と、
を備えるコネクタ。
【請求項１２】
前記コーナーが、前記スロットと連通する空洞を備え、前記コネクタが、前記コーナーの前記空洞に受容可能なコーナー・ナットと、前記中央部の前記孔を貫通して角度をなして延び、前記中央部を前記コーナーに相互接続するように、前記コーナー・ナットに係合するボルトを備える請求項１１に記載のコネクタ。
【請求項１３】
前記位置合わせレールが、前記中央部の前記取付け面から離間された終端面を備える請求項１１に記載のコネクタ。
【請求項１４】
前記位置合わせレールが、前記終端面と前記中央部の前記取付け面の間に延びる第１及び第２の位置合わせ壁を備える請求項１３に記載のコネクタ。
【請求項１５】
前記第１及び第２の位置合わせ壁が前記終端面から離れて延びるにつれて、前記第１及び第２の位置合わせ壁が互いからそれる請求項１４に記載のコネクタ。
【請求項１６】
前記中央部を貫通する前記孔が、前記終端面と連通する開口で終端する請求項１３に記載のコネクタ。
【請求項１７】
前記孔が、前記中央部の前記取付け面に対して鋭角で軸に沿って延びる請求項１６に記載のコネクタ。
【請求項１８】
前記第１のフレーム部材の前記空洞に受容可能な第１のナットと、
前記第１のプレート部材の前記ボルト受容孔を貫通して角度をなして延び、前記第１のフレーム部材の前記空洞に受容された前記第１のナットに係合して、前記第１のプレート部材を第１のフレーム部材に相互接続する第１のボルトと、
前記第２のフレーム部材の前記空洞に受容可能な第２のナットと、
前記第２のプレート部材の前記ボルト受容孔を貫通して角度をなして延び、前記第２のフレーム部材の前記空洞に受容された前記第２のナットに係合して、前記第２のプレート部材を第２のフレーム部材に相互接続する第２のボルトと、
を更に備える請求項１１に記載のコネクタ。
【請求項１９】
それぞれが、対応する軸に沿って延び、スロットを内部に有する外面、及び前記スロットと連通する空洞を備える第１及び第２のフレーム部材と、
前記第１のフレーム部材の前記軸に対して垂直で、前記第１のフレーム部材の終端部に当接するように構成された第１の側壁、該第１の側壁及び前記第２のフレーム部材の前記軸に対して垂直で、前記第２のフレーム部材の終端部に当接するように構成された第２の側壁、スロットを内部に有し、前記第１及び第２のフレーム部材の前記軸に対して垂直な軸に沿って延びる取付け壁、並びに前記コーナーの前記スロットと連通する空洞を有するコーナーと、
内面、前記第１のフレーム部材の前記スロットに受容可能な突出する取付けレールを有する反対側の外面、及び該外面に対して鋭角で第１の軸に沿って貫通して延びるボルト受容孔を有する第１のプレート部材と、
内面、及び第２のフレーム部材の前記スロットに受容可能な突出する取付けレールを有する反対側の外面を有し、該外面に対して鋭角で第２の軸に沿って貫通して延びるボルト受容孔を備える第２のプレート部材と、
前記第１及び第２のプレート部材を相互接続するとともに、前記コーナーの前記スロットに受容可能な突出する位置合わせレールを備える取付け面、第１のプレート部材の内面に隣接する第１の縁部と前記第２のプレート部材の前記内面に隣接する第２の縁部とを有する弓状面、及び貫通して延びる孔を有する中央部と、
前記コーナーの前記空洞に受容可能なコーナー・ナットと、
前記中央部の前記孔を貫通して角度をなして延び、前記中央部を前記コーナーに相互接続するように前記コーナー・ナットに係合するコーナー・ボルトと、
前記第１のフレーム部材の前記空洞に受容可能な第１のナットと、
前記第１のプレート部材の前記ボルト受容孔を貫通して角度をなして延び、前記第１のフレーム部材の前記空洞に受容された前記第１のナットに係合して、前記第１のプレート部材を第１のフレーム部材に相互接続する第１のボルトと、
前記第２のフレーム部材の前記空洞に受容可能な第２のナットと、
前記第２のプレート部材の前記ボルト受容孔を貫通して角度をなして延び、前記第２のフレーム部材の前記空洞に受容された前記第２のナットに係合して、前記第２のプレート部材を第２のフレーム部材に相互接続する第２のボルトと、
を備えるフレーム・アセンブリ。
【請求項２０】
前記位置合わせレールが、前記中央部の前記取付け面から離間された終端面を備える請求項１９に記載のフレーム・アセンブリ。
【請求項２１】
前記位置合わせレールが、前記終端面と前記中央部の前記取付け面の間に延びる第１及び第２の位置合わせ壁を備える請求項２０に記載のフレーム・アセンブリ。
【請求項２２】
前記第１及び第２の位置合わせ壁が前記終端面から離れて延びるにつれて、前記第１及び第２の位置合わせ壁が互いからそれる請求項２１に記載のフレーム・アセンブリ。
【請求項２３】
前記中央部を貫通する前記孔が、前記終端面と連通する開口で終端する請求項２０に記載のフレーム・アセンブリ。
【請求項２４】
前記孔が、前記中央部の前記取付け面に対して鋭角で軸に沿って延びる請求項１９に記載のフレーム・アセンブリ。
【発明の詳細な説明】
【技術分野】
【０００１】
本発明は、一般に、自動装置、建造物、家具、及び／又は他の部品の製造に使用されるフレーム・アセンブリに関し、特に、使用中にフレーム部材及びコーナー部品の回転を防ぐような方法で、第１のフレーム部材及び第２のフレーム部材を機械的に連結するための三方コーナー・アセンブリに関する。
【背景技術】
【０００２】
周知のように、構造フレームは、自動装置及び家具から建造物などに至るあらゆるものを含む様々な製品の構築に使用される。構造フレームは、典型的には、コーナー部品、接合部、又は結合によって一緒に結合される水平及び垂直フレーム部材を組み込む。構造フレームの内部を分離するために、及び／又は審美的に心地良い外観を提供するために、パネルなどの被覆がフレーム部材に固定される場合がある。加えて、様々な構成要素を構造フレームに相互接続して、構造フレームをその意図される目的に使用することができる。例として、ドアの取付けを容易にするために、ヒンジが構造フレームに相互接続される場合がある。また、構造フレームが引き出しとして機能できるように、構造フレームのスライドにスライダーが相互接続される場合がある。その意図される目的を容易にするために、他の種類の構成要素が構造フレームに相互接続されてもよいことは理解できよう。
【０００３】
典型的には、構造フレームの構成要素は摩擦によって一緒に保持される。例えば、水平及び垂直フレーム部材を一緒に固定するために、ナットとボルトの組み合わせが使用される場合が多い。しかしながら、構造フレームを一緒に保持するナットとボルトの組み合わせは、振動及び／又は環境に晒されると、時間と共に緩くなることが多い。ナットとボルトの組み合わせが緩くなると、構造フレームの一体性が損なわれる恐れがある。更に、ナットとボルトの組み合わせが緩くなると、フレーム部材と構成要素が互いに対して回転するので、構造フレームの位置合わせが損なわれる。
【発明の概要】
【発明が解決しようとする課題】
【０００４】
したがって、本発明の主要な目的及び特徴は、使用中にフレーム部材及びコーナー部品の回転を防ぐような方法で、第１のフレーム部材及び第２のフレーム部材を機械的に連結するための三方コーナー・アセンブリを提供することである。
【０００５】
本発明の更なる目的及び特徴は、第１のフレーム部材及び第２のフレーム部材を機械的に連結し自己整合させるための三方コーナー・アセンブリを提供することである。
【０００６】
本発明の更に別の目的及び特徴は、第１のフレーム部材及び第２のフレーム部材を機械的に連結するための、使い易く様々な用途に適合される三方コーナー・アセンブリを提供することである。
【課題を解決するための手段】
【０００７】
本発明によれば、第１及び第２のフレーム部材を相互接続するためのコーナー・アセンブリが提供される。コーナー・アセンブリは、内面及び反対側の外面を画定する第１のプレート部材を備え、この外面は、第１のフレーム部材のスロットに受容可能な突出する取付けレールを有する。第１のプレート部材は、外面に対して鋭角で第１の軸に沿って貫通して延びるボルト受容孔を備える。第２のプレート部材が、内面及び反対側の外面を画定し、この外面は、第１のプレート部材の外面に対して略垂直な外面であり、第２のフレーム部材のスロットに受容可能な突出する取付けレールを有する。第２のプレート部材は、第２のプレート部材の外面に対して鋭角で第２の軸に沿って貫通して延びるボルト受容孔を備える。中央部が、第１及び第２のプレート部材を相互接続し、取付け面と貫通する孔とを有する。取付け面は、突出する位置合わせレールを備える。コーナーが、第１のフレーム部材の終端部に当接するように構成された第１の側壁と、第２のフレーム部材の終端部に当接するように構成された第２の側壁と、内部にスロットを有する取付け壁とを有する。スロットは、中央部の位置合わせレールを内部に受容する。
【０００８】
コーナーは、コーナー軸に沿って延び、コーナー軸に平行に延びるコーナー空洞を備える。コーナー・ナットが、コーナー空洞に受容可能であり、ボルトが、ボルト受容孔を貫通して角度をなして延び、中央部をコーナーに相互接続するように、コーナー空洞に受容されたコーナー・ナットに係合する。位置合わせレールが、中央部の取付け面から離間された終端面を備える。位置合わせレールは、終端面と中央部の取付け面との間に延びる第１及び第２の位置合わせ壁を備える。第１及び第２の位置合わせ壁が終端面から離れて延びるにつれて、第１及び第２の位置合わせ壁が互いからそれる。中央部を貫通する孔が、終端面と連通する開口を終端する。孔が、中央部の取付け面に対して鋭角で軸に沿って延びる。中央部が、第１のプレート部材の内面に隣接する第１の縁部と、第２のプレート部材の内面に隣接する第２の縁部とを有する弓状面を備える。
【０００９】
第１及び第２のフレーム部材のそれぞれが、外面を有し、長手軸を画定し、対応する第１及び第２のフレーム部材のスロットと連通し長手軸に平行に延びる空洞を有する。第１のナットが、第１のフレーム部材の空洞に受容可能であり、第１のボルトが、第１のプレート部材のボルト受容孔を貫通して角度をなして延び、第１のフレーム部材の空洞に受容された第１のナットに係合して、第１のプレート部材を第１のフレーム部材に相互接続する。第２のナットが、第２のフレーム部材の空洞に受容可能であり、第２のボルトが、第２のプレート部材のボルト受容孔を貫通して角度をなして延び、第２のフレーム部材の空洞に受容された第２のナットに係合して、第２のプレート部材を第２のフレーム部材に相互接続する。
【００１０】
本発明の更なる態様によれば、第１のフレーム部材、第２のフレーム部材、及びコーナーを相互接続するためのコネクタが提供される。第１及び第２のフレーム部材のそれぞれが、対応する軸に沿って延び、スロットを内部に有する外面、及びスロットと連通する空洞を備える。コーナーは、第１のフレーム部材の軸に対して垂直であり、第１のフレーム部材の終端部に当接するように構成された第１の側壁と、第１の側壁及び第２のフレーム部材の軸に対して垂直であり、第２のフレーム部材の終端部に当接するように構成された第２の側壁と、スロットを内部に有し、第１及び第２のフレーム部材の軸に対して垂直な軸に沿って延びる取付け壁とを有する。コネクタは、第１のプレート部材を備え、第１のプレート部材は、内面と、反対側の外面であって、ここから突出し第１のフレーム部材のスロットに受容可能である取付けレールを有する外面と、第１のプレート部材を貫通し第１のプレート部材の外面に対して鋭角で第１の軸に沿って延びるボルト受容孔とを有する。第２のプレート部材が、内面と、反対側の外面であって、ここから突出し第２のフレーム部材のスロットに受容可能である取付けレールを有する外面とを有する。第２のプレート部材は、第２のプレート部材を貫通し第２のプレート部材の外面に対して鋭角で第２の軸に沿って延びるボルト受容孔を備える。中央部が、第１及び第２のプレート部材を相互接続し、取付け面、第１のプレート部材の内面に隣接する第１の縁部と第２のプレート部材の内面に隣接する第２の縁部とを有する弓状面、及び貫通する孔を有する。取付け面は、コーナーのスロットに受容可能な突出する位置合わせレールを備える。
【００１１】
コーナーは、スロットと連通する空洞を備える。コーナー・ナットが、コーナーの空洞に受容可能であり、ボルトが、中央部の孔を貫通して角度をなして延び、中央部をコーナーに相互接続するように、コーナー・ナットに係合する。位置合わせレールが、中央部の取付け面から離間された終端面を備える。位置合わせレールは、終端面と中央部の取付け面との間に延びる第１及び第２の位置合わせ壁を備える。第１及び第２の位置合わせ壁が終端面から離れて延びるにつれて、第１及び第２の位置合わせ壁が互いからそれる。中央部を貫通する孔が、終端面と連通する開口で終端する。孔が、中央部の取付け面に対して鋭角で軸に沿って延びる。
【００１２】
第１のナットが、第１のフレーム部材の空洞に受容可能である。第１のボルトが、第１のプレート部材のボルト受容孔を貫通して角度をなして延び、第１のフレーム部材の空洞に受容された第１のナットに係合して、第１のプレート部材を第１のフレーム部材に相互接続する。第２のナットが、第２のフレーム部材の空洞に受容可能である。第２のボルトが、第２のプレート部材のボルト受容孔を貫通して角度をなして延び、第２のフレーム部材の空洞に受容された第２のナットに係合して、第２のプレート部材を第２のフレーム部材に相互接続する。
【００１３】
本発明の更に別の態様によれば、フレーム・アセンブリが提供される。フレーム・アセンブリは、第１及び第２のフレーム部材を備える。第１及び第２のフレーム部材のそれぞれが、対応する軸に沿って延び、スロットを内部に有する外面、及びスロットと連通する空洞を備える。コーナーが、第１のフレーム部材の軸に対して垂直であり、第１のフレーム部材の終端部に当接するように構成された第１の側壁と、第１の側壁及び第２のフレーム部材の軸に対して垂直であり、第２のフレーム部材の終端部に当接するように構成された第２の側壁と、スロットを内部に有し、第１及び第２のフレーム部材の軸に対して垂直な軸に沿って延びる取付け壁と、コーナーのスロットと連通する空洞とを有する。第１のプレート部材が、内面と、反対側の外面であって、第１のフレーム部材のスロットに受容可能な突出する取付けレールを有する外面と、第１のプレート部材を貫通し第１のプレート部材の外面に対して鋭角で第１の軸に沿って延びるボルト受容孔とを有する。第２のプレート部材が、内面と、第２のフレーム部材のスロットに受容可能な突出する取付けレールを有する反対側の外面とを有する。第２のプレート部材は、第２のプレート部材を貫通し第２のプレート部材の外面に対して鋭角で第２の軸に沿って延びるボルト受容孔を備える。中央部が、第１及び第２のプレート部材を相互接続し、取付け面、第１のプレート部材の内面に隣接する第１の縁部と第２のプレート部材の内面に隣接する第２の縁部とを有する弓状面、及び貫通する孔を有する。取付け面は、コーナーのスロットに受容可能な突出する位置合わせレールを備える。コーナー・ナットが、コーナーの空洞に受容可能である。コーナー・ボルトが、中央部の孔を貫通して角度をなして延び、中央部をコーナーに相互接続するように、コーナー・ナットに係合する。第１のナットが、第１のフレーム部材の空洞に受容可能である。第１のボルトが、第１のプレート部材のボルト受容孔を貫通して角度をなして延び、第１のフレーム部材の空洞に受容された第１のナットに係合して、第１のプレート部材を第１のフレーム部材に相互接続する。第２のナットが、第２のフレーム部材の空洞に受容可能である。第２のボルトが、第２のプレート部材のボルト受容孔を貫通して角度をなして延び、第２のフレーム部材の空洞に受容された第２のナットに係合して、第２のプレート部材を第２のフレーム部材に相互接続する。
【００１４】
位置合わせレールが、中央部の取付け面から離間された終端面を備える。位置合わせレールは、終端面と中央部の取付け面の間に延びる第１及び第２の位置合わせ壁を備える。第１及び第２の位置合わせ壁が終端面から離れて延びるにつれて、第１及び第２の位置合わせ壁が互いからそれる。中央部を貫通する孔が、終端面と連通する開口で終端する。孔が、中央部の取付け面に対して鋭角で軸に沿って延びる。
【００１５】
本明細書に添付される図面は、上記の利点及び特徴が明確に開示される本発明の好ましい構成、並びに例示される実施形態の以下の説明から容易に理解される他の構成を例示する。
図面は以下の通りである。
【図面の簡単な説明】
【００１６】
【図１】第１及び第２のフレーム部材を相互接続するための本発明によるコーナー・アセンブリの分解等角図である。
【図２】第１及び第２のフレーム部材を相互接続する図１のコーナー・アセンブリの等角図である。
【図３】図２のコーナー・アセンブリの断面図である。
【図４】図３の線４−４に沿った本発明のコーナー・アセンブリの断面図である。
【図５】本発明のコーナー・アセンブリのＬ字型本体の等角図である。
【図６】本発明のコーナー・アセンブリのＬ字型本体の平面図である。
【図７】本発明のコーナー・アセンブリのＬ字型本体の側面図である。
【図８】図７の線８−８に沿ったＬ字型本体の断面図である。
【図９】図４の線９−９に沿った本発明のコーナー・アセンブリの断面図である。
【図１０】図３のコーナー・アセンブリの一部を示す拡大断面図である。
【発明を実施するための形態】
【００１７】
図１〜図３を参照すると、本発明による三方コーナー・アセンブリが符号１０で全体的に示されている。以下に説明されるように、コーナー・アセンブリ１０は、様々な構成要素から構成されるフレーム・アセンブリの第１及び第２のレール又はフレーム部材１４及び１６をそれぞれ相互接続することが意図されている。コーナー・アセンブリ１０は、第１のプレート部材２１及び第２のプレート部材２３によって画定されたＬ字型本体１９を含む。図５〜図８で最もよく分かるように、第１のプレート部材２１が、実質的に平坦な上面２５、実質的に平坦な下面２７、実質的に平坦な外面２９、及び外面２９からそれる実質的に平坦な内面３１を画定する。外面２９及び内面３１は、略凹状の構成を有する終端面３３によってそれぞれ相互接続される。取付けレール３７が、外面２９から長手方向にその中心部に沿って外側に延びる。取付けレール３７は、以下に説明されるように、フレーム部材１４及び１６の一方における選択されたスロット３２の部分に対応する周囲の形状を有する。以下に説明される理由により、取付けレール３７の形状は、取付けレール３７がスロット側壁３４とスロット側壁３６との間でフレーム部材１４及び１６の一方における選択されたスロット３２に嵌まり込むことを容易にすることが意図されている。
【００１８】
同様に、第２のプレート部材２３は、実質的に平坦な上面３９、実質的に平坦な下面４１、実質的に平坦な外面４３、及び外面４３からそれる実質的に平坦な内面４５を画定する。外面４３及び内面４５は、略凹状の構成を有する終端面４７によってそれぞれ相互接続される。取付けレール４９は、外面４３から長手方向にその中心部に沿って外側に延びる。取付けレール４９は、以下に説明されるように、フレーム部材１４及び１６の他方における選択されたスロット３２の部分に対応する周囲の形状を有する。以下に説明される理由により、取付けレール４９の形状は、取付けレール４９がスロット側壁３４とスロット側壁３６との間でフレーム部材１４及び１６の他方における選択されたスロット３２に嵌まり込むことを容易にすることが意図されている。
【００１９】
第１のプレート部材２１は、これを貫通して形成される一対の隣接する、上方に延びる離間されたボルト受容孔６５及び６７を有し、これらは第１のプレート部材２１の内面３１と外面２９との間に延びる。各ボルト受容孔６５及び６７は、第１のプレート部材２１を横断方向に角度をなして貫通して延びる。より具体的には、各孔６５及び６７は、第２のプレート部材２３の外面４３が位置する平面と略平行な軸を画定し、第１のプレート部材２１の外面２９に対して鋭角に配置される。鋭角は、１度から８９度の範囲内にあることが好ましいが、より好ましくは約３０度と約８０度の間であり、最も好ましくは約７０度である。各孔６５及び６７は、第１のプレート部材２１の内面３１と連通するそれぞれ対応する第１の開口６５ａ及び６７ａ、並びに取付けレール３５の外面６９と連通するそれぞれ対応する第２の端部６５ｂ及び６７ｂによって画定される。孔６５及び６７は、これらを通る対応するボルト７０及び７１のボルトヘッド７３及び７５を受容するように適合された第１のプレート部材２１の内面３１に隣接するカウンタ孔部分７２及び７３を画定する。以下に説明されるように、ボルト７０及び７１は第１のプレート部材２１をフレーム部材１４に相互接続することが意図されている。
【００２０】
第２のプレート部材２３も、これを貫通して形成される一対の隣接する、上方に延びる離間されたボルト受容孔７７及び７９を有し、これらは第２のプレート部材２３の内面４５と外面４３との間に延びる。各ボルト受容孔７７及び７９は、第２のプレート部材２３を横断方向に角度をなして貫通して延びる。より具体的には、各孔７７及び７９は、第１のプレート部材２１の外面２９が位置する平面と略平行な軸を画定し、第２のプレート部材２３の外面４３に対して鋭角に配置される。鋭角は、１度から８９度の範囲内にあることが好ましいが、より好ましくは約３０度と約８０度の間であり、最も好ましくは約７０度である。各孔７７及び７９は、第２のプレート部材２３の内面４５と連通するそれぞれ対応する第１の開口７７ａ及び７９ａ、並びに取付けレール４９の外面８１と連通するそれぞれ対応する第２の端部７７ｂ及び７９ｂによって画定される。孔７７及び７９は、これらを通る対応するボルト９１及び９３のボルトヘッド８７及び８９を受容するように適合された第２のプレート部材２３の内面４５に隣接するカウンタ孔部分８３及び８５を画定する。以下に説明されるように、ボルト９１及び９３は第２のプレート部材２３をフレーム部材１６に相互接続することが意図されている。
【００２１】
第１のプレート部材２１及び第２のプレート部材２３の内面３１及び４５は、本体１９の中央部１０３の凹状の弓状面５１によってそれぞれ相互接続される。本体１９の中央部１０３は、第１のプレート部材２１及び第２のプレート部材２３の外面２９及び４３をそれぞれ相互接続する略平坦な取付け面５３を更に備える。取付けレール５５は、取付け面５３から外側にその中央部に沿って延びる。取付けレール５５は、以下に説明されるように、コーナー５９のスロット５７の部分に対応する周囲の形状を有する。以下に説明される理由により、取付けレール５５の形状は、取付けレール５５がスロット側壁１３４とスロット側壁１３６との間でコーナー５９のスロット１２９に嵌まり込むことを容易にすることが意図されている。
【００２２】
上及び下の離間されたボルト受容孔９７及び９９は、弓状面５１と、取付け面５３から突出する取付けレール５５の外面１０１との間に延びる。各ボルト受容孔９７及び９９は、本体１９の中央部１０３を横断方向に角度をなして貫通して延びる。より具体的には、各孔９７及び９９は、中央部１０３の上面１０５及び下面１０７がそれぞれ位置する平面と略平行な軸を画定し、取付け面５３に対して鋭角に配置される。鋭角は、１度から８９度の範囲内にあることが好ましいが、より好ましくは約３０度と約８０度の間であり、最も好ましくは約７０度である。各孔９７及び９９は、本体１９の中央部１０３の弓状面５１と連通するそれぞれ対応する第１の開口９７ａ及び９９ａ、並びに取付けレール５５の外面１０１と連通するそれぞれ対応する第２の端部９７ｂ及び９９ｂ（図３）によって画定される。孔９７及び９９はそれぞれ、これらを通る対応するボルト１１７及び１１９のボルトヘッド１１３及び１１５を受容する本体１９の中央部１０３の弓状面５１に隣接するカウンタ孔部分１０９及び１１１を画定する。以下に説明されるように、ボルト１１７及び１１９は本体１９の中央部１０３をコーナー５９に相互接続することが意図されている。
【００２３】
コーナー５９は、第１及び第２のそれぞれ略平坦な側壁１２１及び１２３を備える。第１の側壁１２１及び第２の側壁１２３はそれぞれ、互いに略垂直であり、図１〜３のそれぞれ対応する第１のフレーム部材１４及び第２のフレーム部材１６の終端部に当接するように意図されている。第１の側壁１２１及び第２の側壁１２３はそれぞれ、内縁部１２１ａ及び１２３ａ、並びに外縁部１２１ｂ及び１２３ｂによって画定される。第１の側壁１２１及び第２の側壁１２３の外縁部１２１ｂ及び１２３ｂは、略弓状の後壁１２５によってそれぞれ相互接続される。第１の側壁１２１及び第２の側壁１２３の内縁部１２１ａ及び１２３ａは、略平坦な取付け壁１２７によってそれぞれ相互接続される。コーナー５９は、図１〜図３で最もよく分かるように材料の中実ブロックとして、又はハブ及びスポーク支持システムを含んで製造されてよいことは理解できよう。取付け壁１２７は、内部に形成された細長いスロット１２９を備え、スロット１２９は、上縁部１２７ａから下縁部１２７ｂまでその全長に沿って延びる。スロット１２９は、コーナー５９内の長手方向に延びる空洞１３１に開く。スロット１２９及び空洞１３１は、実質的に対称であり、したがって、スロット１２９及び／又は空洞１３１の一方の側の構造の説明が、一方の側の構造の単なる鏡像であるスロット１２９及び／又は空洞１３１の他方の側の対応する構造に同様に適用できる。
【００２４】
図１０を参照すると、スロット１２９は、それぞれ取付け壁１２７の外面１３０からこれに角度をなして延びる第１の側壁１３４と第２の側壁１３６との間に画定されている。角度は１度から８９度の範囲内にあるが、好ましくは約３０度から約８０度の間であり、最も好ましくは約７０度であることが企図される。相応して、このような最も好ましい実施形態では、第１の側壁１３４及び第２の側壁１３６はそれぞれ、スロット１２９の中心線を通って延びる想像線に対して約２０度の角度を画定し、したがって、第１の側壁１３４及び第２の側壁１３６はそれぞれ互いの間に約４０度の角度を画定する。スロット１２９は更に、第１の外側当接壁１４２と第２の外側当接壁１４４との間に画定され、第１の外側当接壁１４２及び第２の外側当接壁１４４は、それぞれ第１の側壁１３４及び第２の側壁１３６の対応する端縁部１３４ａ及び１３６ａからそれる。第１の外側当接壁１４２は、第１の側壁１３４に角度をなして交差して、これらの間に９０度よりも大きい角度を画定し、第２の外側当接壁１４４は、側壁１３６に角度をなして交差して、これらの間に９０度よりも大きい角度を画定する。好ましくは、第１の外側当接壁１４２と第１の側壁１３４との間に画定される角度は、約１１０度から約１６０度の間であり、最も好ましくは約１３０度である。
【００２５】
第１の内側当接壁１４６及び第２の内側当接壁１４８がそれぞれ、それぞれの最も外側の部分から、空洞１３１の中間部分に向かって外面１３０から離れて角度をなして下がって延びる線を画定する。別の言い方をすれば、第１の外側当接壁１４２及び第２の外側当接壁１４４にそれぞれ接続する内側ランド１４２ａ及び１４４ａからそれぞれ対応する第１の内側当接壁１４６及び第２の内側当接壁１４８に向かって、第１の内側当接壁１４６及び第２の内側当接壁１４８はそれぞれ互いからそれる反対方向で外面１３０に向かって延びる。内側ランド１４２ａは、それぞれ対応する外側当接壁１４２及び内側当接壁１４６とのランド１４２ａの交差部における縁部を画定する平坦な面を画定する。同様に、内側ランド１４４ａは、それぞれ対応する外側当接壁１４４及び内側当接壁１４８とのランド１４４ａの交差部における縁部を画定する平坦な面を画定する。第１の外側当接壁１４２及び第２の外側当接壁１４４はそれぞれ、外面１３０に対して平行に比較的近い第１の内側当接壁１４６及び第２の内側当接壁１４８よりもそれぞれ外面１３０に対して急な角度にあり、すなわち比較的直交に近い。好ましい一実施形態では、第１の外側当接壁１４２及び第２の外側当接壁１４４は、外面１３０に対して約６０度の角度を画定し、この実施形態の第１の内側当接壁１４６及び第２の内側当接壁１４８は、外面１３０に対して約２０度又は１９度の角度を画定する。凹状の端壁１５１が、第１の内側当接壁１４６及び第２の内側当接壁１４８のそれぞれ端縁部１４６ａと１４８ａとの間を延び、空洞１３１は、内側当接壁１４６、１４８及び凹状の端壁１５１の間に画定される。
【００２６】
これまで説明したように、コーナー・アセンブリ１０は、様々な構成要素から構成されるフレーム・アセンブリのそれぞれ第１及び第２のレール又はフレーム部材１４及び１６を相互接続することが意図されている。第１のフレーム部材１４及び第２のフレーム部材１６は、それぞれ同一の構造である。したがって、第２のフレーム部材１６の以下に示される記載は、第１のフレーム部材１４の構造を本明細書に完全に記載したかのように説明するものと理解される。図９を参照すると、図示の実施形態では、フレーム部材１６は、略正方形の構成又は断面輪郭形状を有し、長手軸に沿って延びることが理解できよう。代替実施形態では、フレーム部材１４及び１６は、異なる断面輪郭形状、例えば、所望の最終用途の構成に応じて、円形、矩形、三角形、又は他の多角形の形状（図示せず）を有してもよい。フレーム部材１６は、４つの面３０ａ〜３０ｄによって画定された外面を有する。それぞれの面３０ａ〜３０ｄは、同一の構造であり、したがって、面３０ａの以下の記載は、面３０ｂ〜３０ｄを本明細書に完全に記載したかのように説明するものと理解される。
【００２７】
フレーム部材１６の各面３０ａ〜３０ｄは、略平坦であり、内部に形成されたスロット３２を備え、スロット３２は、その全長に沿って延び長手方向に延びる空洞３３に開く。スロット３２及び空洞３３は、実質的に対称であり、したがって、スロット３２及び／又は空洞３３の一方の側の構造の説明が、一方の側の構造の単なる鏡像であるスロット３２及び／又は空洞３３の他方の側の対応する構造に同様に適用できる。
【００２８】
スロット３２は、それぞれ面３０ａからこれに角度をなして延びる第１の側壁３４と第２の側壁３６との間に画定される。角度は１度から８９度の範囲内にあるが、好ましくは約３０度から約８０度の間であり、最も好ましくは約７０度であることが企図される。相応して、このような最も好ましい実施形態では、第１の側壁３４及び第２の側壁３６はそれぞれ、スロット３２の中心線を通って延びる想像線に対して約２０度の角度を画定ししたがって、第１の側壁３４及び第２の側壁３６はそれぞれ互いの間に約４０度の角度を画定する。スロット３２は更に、それぞれ第１の外側当接壁４２と第２の外側当接壁４４との間に画定され、第１の外側当接壁４２及び第２の外側当接壁４４は、それぞれ第１の側壁３４及び第２の側壁３６の対応する端縁部３４ａ及び３６ａからそれる。第１の外側当接壁４２は、第１の側壁３４に角度をなして交差して、これらの間に９０度よりも大きい角度を画定し、第２の外側当接壁４４は、側壁３６に角度をなして交差して、これらの間に９０度よりも大きい角度を画定する。好ましくは、第１の外側当接壁４２と第１の側壁３４との間に画定される角度は、約１１０度から約１６０度の間であり、最も好ましくは約１３０度である。
【００２９】
第１の内側当接壁４６及び第２の内側当接壁４８がそれぞれ、それぞれの最も外側の部分から、空洞３３の中間部分に向かって面３０ａから離れて角度をなして下がって延びる線を画定する。別の言い方をすれば、第１の外側当接壁４２及び第２の外側当接壁４４にそれぞれ接続する内側ランド４２ａ及び４４ａからそれぞれ対応する第１の内側当接壁４６及び第２の内側当接壁４８に向かって、第１の内側当接壁４６及び第２の内側当接壁４８はそれぞれ互いからそれる反対方向で面３０ａに向かって延びる。内側ランド４２ａは、それぞれ対応する外側当接壁４２及び内側当接壁４６とのランド４２ａの交差部における縁部を画定する平坦な面を画定する。同様に、内側ランド４４ａは、それぞれ対応する外側当接壁４４及び内側当接壁４８とのランド４４ａの交差部における縁部を画定する平坦な面を画定する。第１の外側当接壁４２及び第２の外側当接壁４４はそれぞれ、面３０ａに対して平行に比較的近い第１の内側当接壁４６及び第２の内側当接壁４８よりもそれぞれ面３０ａに対して急な角度にあり、すなわち比較的直交に近い。好ましい一実施形態では、第１の外側当接壁４２及び第２の外側当接壁４４は、面３０ａに対して約６０度の角度を画定し、この実施形態の第１の内側当接壁４６及び第２の内側当接壁４８は、面３０ａに対して約２０度又は１９度の角度を画定する。凹状の端壁５０が、第１の内側当接壁４６及び第２の内側当接壁４８のそれぞれ端縁部４６ａと４８ａとの間を延び、空洞３３は、内側当接壁４６、４８及び凹状の端壁５０の間に画定される。
【００３０】
図１〜図３を再び参照すると、コーナー５９並びに第１のフレーム部材１４及び第２のフレーム部材１６に対してそれぞれ本体１９にするために、ナット１５０が提供されている。各ナット１５０は、実質的に平坦な上側壁１５５と、一対の外向きにテーパ状の側壁１６２及び１６４とを有する。テーパ状の側壁１６２及び１６４はそれぞれ、第１のフレーム部材１４及び第２のフレーム部材１６における外側当接壁４２及び４４の角度並びにコーナー５９における外側当接壁４２及び４４の角度に対応する角度で、上側壁１５５から角度をなして延びる。テーパ状の側壁１６２と１６４との間の距離が外側当接壁４２と４４との間の距離よりも短く、そのため、使用中に、以下に説明されるようにテーパ状の側壁１６２と外側当接壁４２との間に隙間が画定される。同様に、テーパ状の側壁１６２と１６４との間の距離が外側当接壁１４２と１４４との間の距離よりも短く、そのため、使用中に、以下に説明されるようにテーパ状の側壁１６２と外側当接壁１４２との間に隙間が画定される。一対の肩部１６６及び１６８が、テーパ状の側壁１６２及び１６４の下方部分から外向きに、上側壁１５５の方向に上向きに延びる。
【００３１】
各ナット１５０の肩部１６６及び１６８は、それぞれ第１のフレーム部材１４及び第２のフレーム部材１６の内側当接壁４６及び４８と外側当接壁４２及び４４との間に画定された角度、並びにコーナー５９の内側当接壁１４６及び１４８と外側当接壁１４２及び１４４との間に画定された角度に概して対応する角度で延びることが企図される。角度は、鈍角であることが好ましく、９１度から１７９度の範囲内にあるが、好ましくは約９５度と１０５度の間であり、より好ましくは約１００度である。肩部１６６と各孔１８０の長手軸との間の角度（符号なし）と、肩部１６８と各孔１８０の長手軸との間の角度とは異なる。例えば、肩部１６６と孔１８０の長手軸との間の角度は約９０度であり得、肩部１６８と孔１８０の長手軸との間の角度は約５５度であり得る。下側の湾曲した壁１７０が、肩部１６６の外端部と肩部１６８の外端部との間で弓形の経路に沿って延び、これらを接続する。ナット１５０の下側の湾曲した壁１７０の輪郭形状及び曲率半径は、第１のフレーム部材１４及び第２のフレーム部材１６の空洞３３の下側の周縁部を画定する凹状の端壁５０の特徴、並びにコーナー５９の空洞１３１の下側の周縁部を画定する凹状の端壁１５１の特徴に対応する。
【００３２】
各ナット１５０は、ナット１５０の長さに沿って互いから離間された一対のネジ付き孔１８０を備える。孔１８０は、ナット１５０の長手方向ではナット１５０に直交しかつナット１５０の横断方向では角度をなして延びる。孔１８０は、孔６５及び６７が第１のプレート部材２１を貫通して延びる角度、孔７７及び７９が第２のプレート部材２３を貫通して延びる角度、及び孔９７及び９９が中央部１０３を貫通して延びる角度と同じ角度で、すなわち横断方向に鋭角に延びる。孔１８０のこうした鋭角のそれぞれは、ナット１５０の上側壁１５５に対して、１度から８９度の範囲内にあるが、好ましくは約３０度と約８０度の間であり、最も好ましくは約６５度である。この構成では、各孔１８０は、実質的にナット１５０の中心線にある上側開口と、外向きにテーパ状の側壁１６２の下方に配置されている、ナットの中心線からずれた下側開口とを有する。
【００３３】
第１のフレーム部材１４及び第２のフレーム部材１６をそれぞれコーナー・アセンブリ１０と相互接続するために、第１のナット１５０が、コーナー５９の空洞１３１内へ長手方向に摺動される。本体１９の中央部１０３の取付け面５３から外側に延びる取付けレール５５は、コーナー５９の取付け壁１２７の外面１３０におけるスロット１２９内へ摺動される。本体１９が所望の位置となり、中央部１０３を貫通して延びる孔９７及び９９がナット１５０の対の孔１８０と位置合わせされるまで、本体１９の中央部１０３、及びナット１５０が、それぞれスロット１２９及び空洞１３１を通って長さ方向に摺動される。ボルト１１７及び１１９が中央部１０３の孔９７及び９９に挿入され、ナット１５０のネジ付き孔１８０にねじ込まれる。
【００３４】
ボルト１１７及び１１９をナット１５０中に締め付けることにより、ナット１５０、コーナー５９、及び本体１９の中央部１０３のスタックを共にクランプし、コーナー５９を横断方向に押圧するようにして、接合部に多軸締め付けがもたらされる。各ボルト１１７及び１１９を締め付けると、ナット１５０をボルト１１７及び１１９のネジ山に沿って前進させることによってナット１５０が引っ張られる。これにより、ナット１５０が、空洞１３１を横切って、スロット１２９の外側当接壁１４４に向かって角度をなして引っ張り上げられる。ナット１５０が空洞１３１を横切って角度をなして引っ張り上げられる間に、肩部１６６は、空洞１３１の内側当接壁１４６に係合し、これにより、コーナー５９の外側当接壁１４２とテーパ状の側壁１６２との間に隙間が設けられる。このような隙間は、ナット１５０が空洞１３１内で枢動するのに十分な空間を提供する。このことは、肩部１６６が内側当接壁１４６に係合した後にボルト１１７及び１１９を更に締め付け、そのため、ナット１５０をボルト１１７及び１１９に沿って更に前進させることで、内側当接壁１４６と外側当接壁１４２との間の内側ランド１４２ａを中心にナット１５０が枢動することによって行われる。次いで、ナット１５０は、肩部１６８が空洞１３１の内側当接壁１４８に係合するまで内側ランド１４２ａを中心に枢動する。ナット１５０の肩部１６６及び１６８がいずれもコーナー５９の内側当接壁１４６及び１４８に係合しているときに、ボルト１１７及び１１９を更に締め付けるとナット１５０が本体１９の中央部１０３の近くに移動する。これにより、内側当接壁１４６及び１４８が互いに近づくように付勢されて、コーナー５９が横断方向に押圧される。というのは、内側当接壁１４６及び１４８と肩部１６６及び１６８との間のくさび作用により、内側当接壁１４６及び１４８が肩部１６６及び１６８を横切る方向にナット１５０のテーパ状の側壁１６２及び１６４に向かって摺動するからである。これにより、ボルト１１７及び１１９に張力をかける間、本体１９の中央部１０３とナット１５０との間にコーナー５９を挟むクランプ力も加えられる。
【００３５】
第１のフレーム部材１４をコーナー・アセンブリ１０の第１のプレート部材２１に接続するために、第２のナット１５０が、フレーム部材１４の面の１つ、例えば面３０ａの空洞３３内へ長手方向に摺動される。第１のプレート部材２１の取付けレール３４が、フレーム部材１４の面３０ａのスロット３２内へ摺動される。コーナー・アセンブリ１０が所望の位置となり、第１のプレート部材１４を貫通する孔６５及び６７がナット１５０の対の孔１８０と位置合わせされるまで、コーナー・アセンブリ１０の第１のプレート部材２１、及びナット１５０が、それぞれフレーム部材１４のスロット３２及び空洞３３を通って長さ方向に摺動される。ボルト７０及び７１がネジ無し孔６５及び６７にそれぞれ挿入され、ナット１５０のネジ付き孔１８０にねじ込まれる。
【００３６】
ボルト７０及び７１をナット１５０中に締め付けることにより、ナット１５０、第１のフレーム部材１４、及びコーナー・アセンブリ１０の第１のプレート部材１４のスタックを共にクランプし、フレーム部材１４を横断方向に押圧するようにして、接合部に多軸締め付けがもたらされる。各ボルト７０及び７１を締め付けると、ナット１５０をボルト１１７及び１１９のネジ山に沿って前進させることによってナット１５０が引っ張られる。これにより、ナット１５０が、空洞３３を横切って、スロット３２の外側当接壁４４に向かって角度をなして引っ張り上げられる。ナット１５０が空洞３３を横切って角度をなして引っ張り上げられる間に、肩部１６６は、空洞３３の内側当接壁４６に係合し、これにより、第１のフレーム部材１４の外側当接壁４２とテーパ状の側壁１６２との間に隙間が設けられる。このような隙間は、ナット１５０が空洞３３内で枢動するのに十分な空間を提供する。このことは、肩部１６６が内側当接壁４６に係合した後にボルト７０及び７１を更に締め付け、そのため、ナット１５０をボルト７０及び７１に沿って更に前進させることで、内側当接壁４６と外側当接壁４２との間の内側ランド４２ａを中心にナット１５０が枢動することによって行われる。次いで、ナット１５０は、肩部１６８が空洞３３の内側当接壁４８に係合するまで内側ランド４２ａを中心に枢動する。ナット１５０の肩部１６６及び１６８がいずれも第１のフレーム部材１４の内側当接壁４６及び４８に係合しているときに、ボルト７０及び７１を更に締め付けるとナット１５０がコーナー・アセンブリ１０の近くに移動する。これにより、内側当接壁４６及び４８が互いに近づくように付勢されて、第１のフレーム部材１４が横断方向に押圧される。というのは、内側当接壁４６及び４８と肩部１６６及び１６８との間のくさび作用により、内側当接壁４６及び４８が肩部１６６及び１６８を横切る方向にナット１５０のテーパ状の側壁１６２及び１６４に向かって摺動するからである。これにより、ボルト７０及び７１に張力をかける間、コーナー・アセンブリ１０の第１のプレート部材２１とナット１５０との間に第１のフレーム部材１４を挟むクランプ力も加えられる。
【００３７】
第２のフレーム部材１６をコーナー・アセンブリ１０の第２のプレート部材２３に接続するために、コーナー・アセンブリ１０の第２のプレート部材２３の取付けレール４９が、図９の第２のフレーム部材１６の面、例えば面３０ａのスロット３２内へ摺動される。上述したようにボルト９１及び９３をナット１５０中に締め付けて接合部を多軸的に締め付ける手順が繰り返されて、コーナー・アセンブリ１０の第２のプレート部材２３とナット１５０との間に第２のフレーム部材１６をクランプし、図２のコーナー・アセンブリ１０、第１のフレーム部材１４及び第２のフレーム部材１６のそれぞれの組み立てが完了する。
【００３８】
発明の実施の様々な態様が、本発明としてみなされる主題を具体的に指摘し個別に請求する添付の特許請求の範囲内にあるものとして想到される。
【図１】
2018529909.tif 000003
【図２】
2018529909.tif 000004
【図３】
2018529909.tif 000005
【図４】
2018529909.tif 000006
【図５】
2018529909.tif 000007
【図６】
2018529909.tif 000008
【図７】
2018529909.tif 000009
【図８】
2018529909.tif 000010
【図９】
2018529909.tif 000011
【図１０】
2018529909.tif 000012
【国際調査報告】
2018529909.tif 000013
2018529909.tif 000014